(57)【要約】  液晶ディスプレイパネル（２１）、液晶ディスプレイパネル（２１）の性能を向上させるバックライトであって、有機発光ダイオード型バックライト（２３）を含むダイオード、及び有機発光ダイオード型バックライト（２３）のセグメントを駆動するバックライトドライバ（２４）を備えた液晶ディスプレイ（２）を提供することにより、液晶ディスプレイ（２）を有する装置（１）が小型化される。このようにすると、拡散板の使用を回避できる。セグメント状有機発光ダイオード型バックライト（２３）は、平らな基板の形態をしており、白色光を自然に生じさせる。バックライトドライバ（２４）は、液晶ディスプレイパネル（２１）のヤケ現象を減少させるために有機発光ダイオード型バックライト（２３）のセグメントを走査方式で駆動する走査型バックライトドライバを含むと共に液晶ディスプレイパネルのセグメントの光強度を個別化するために有機発光ダイオード型バックライト（２３）又は通常のバックライト（２６）のセグメントを個別化方式で駆動する個別化型バックライトドライバを含むのが良い。
2009505129.tif 000002
【特許請求の範囲】
【請求項１】
液晶ディスプレイ（２）であって、
液晶ディスプレイパネル（２１）と、
前記液晶ディスプレイパネル（２１）を照明するセグメント状有機発光ダイオード型バックライト（２３）と、
前記有機発光ダイオード型バックライト（２３）のセグメントを駆動するバックライトドライバ（２４）とを備えている、
ことを特徴とする液晶ディスプレイ（２）。
【請求項２】
前記バックライトドライバ（２４）は、前記液晶ディスプレイパネル（２１）のヤケ現象を減少させるために前記有機発光ダイオード型バックライト（２３）の前記セグメントを走査方式で駆動する走査型バックライトドライバを備えている、
請求項１記載の液晶ディスプレイ（２）。
【請求項３】
前記バックライトドライバ（２４）は、前記液晶ディスプレイパネルのセグメントの強度を個別化するために前記有機発光ダイオード型バックライト（２３）の前記セグメントを個別化方式で駆動する個別化型バックライトドライバを備えている、
請求項１記載の液晶ディスプレイ（２）。
【請求項４】
前記バックライトドライバ（２４）は、前記液晶ディスプレイパネル（２１）のヤケ現象を減少させると共に前記液晶ディスプレイパネルのセグメントの光強度を個別化するために前記有機発光ダイオード型バックライト（２３）の前記セグメントを走査方式且つ個別化方式で駆動する走査型且つ個別化型バックライトドライバを備えている、
請求項１記載の液晶ディスプレイ（２）。
【請求項５】
前記有機発光ダイオード型バックライト（２３）は、前記液晶ディスプレイ（２）の一体部分である、
請求項１記載の液晶ディスプレイ（２）。
【請求項６】
前記有機発光ダイオード型バックライト（２３）は、前記液晶ディスプレイパネル（２１）から切り離し可能である、
請求項１記載の液晶ディスプレイ（２）。
【請求項７】
請求項１ないし６のいずれか１項に記載のセグメント状有機発光ダイオード型バックライト（２３）。
【請求項８】
請求項１ないし６のいずれか１項に記載のバックライトドライバ。
【請求項９】
請求項１記載の液晶ディスプレイ（２）を作動させる方法であって、
前記液晶ディスプレイパネル（２１）のヤケ現象を減少させるために前記有機発光ダイオード型バックライト（２３）の前記セグメントをバックライトドライバ（２４）により走査方式で駆動するステップを有する、
ことを特徴とする方法。
【発明の詳細な説明】
【技術分野】
【０００１】
本発明は、液晶ディスプレイを有する装置に関し、更に、液晶ディスプレイ、バックライト、バックライトドライバ及び装置を駆動する方法に関する。
【背景技術】
【０００２】
このような装置の例には、テレビジョン、モニタ、車両搭載機器、宇宙船搭載機器、飛行機搭載機器、ラップトップ型機器、例えばパーソナルコンピュータや携帯型機器、例えば静止画像カメラ、モーションビデオカメラ及び携帯電話である。
【０００３】
先行技術の液晶ディスプレイは、米国特許出願公開第２００５／０００７５１６号明細書から知られており、この米国特許出願公開明細書は、例えば、その段落番号００３３及び００３４において、液晶ディスプレイパネル、光源又は発光ダイオードアレイ及び拡散板を開示している。液晶ディスプレイパネルの性能を向上させるため、光源をオンオフする場合があり、そして、発光ダイオードアレイの発光ダイオードを液晶ディスプレイパネルの走査方向で順次オンにする場合がある。
【０００４】
【特許文献１】米国特許出願公第２００５／０００７５１６号明細書
【発明の開示】
【発明が解決しようとする課題】
【０００５】
先行技術の液晶ディスプレイは、特に、光源又は発光ダイオードアレイから出て来る光を拡散する拡散板（ディフューザ）が必要になるというデメリットがある。光を拡散してこれが広い範囲の一様な分布状態を有するようにする拡散板は、一方において光源又は発光ダイオードアレイと他方において液晶ディスプレイパネルとの間の距離を増大させる。これにより、液晶ディスプレイのサイズが増大する。
【０００６】
本発明の目的は、特に、比較的小さなサイズをもつ液晶ディスプレイを有する装置を提供することにある。
【０００７】
本発明の別の目的は、特に、バックライト、バックライトドライバ、液晶ディスプレイの作動方法、コンピュータプログラムプロダクト及び比較的小さなサイズをもつ液晶ディスプレイを有する装置に用いられる（これと組み合わせられる）コンピュータプログラムプロダクトを記憶する媒体を提供することにある。
【課題を解決するための手段】
【０００８】
本発明の液晶ディスプレイは、
液晶ディスプレイパネルと、
液晶ディスプレイパネルを照明するセグメント状有機発光ダイオード型バックライトと、
有機発光ダイオード型バックライトのセグメントを駆動するバックライトドライバとを備えている。
【０００９】
セグメント状有機発光ダイオード型バックライトを有するバックライトを導入すると共に有機発光ダイオード型バックライトのセグメントを駆動するバックライトドライバを導入することにより、有機発光ダイオード型バックライトから出て来た光が、広い範囲の一様な分布状態を既にもっているので、有機発光ダイオード型バックライトから出て来る光を拡散する拡散板は、不要となる。さらに、セグメント状有機発光ダイオード型バックライトは、基板の形態をしており、それにより、かかるバックライトが非常に平らな光源になる。こうしたことは全て、液晶ディスプレイのサイズを減少させる（小型化する）。
【００１０】
バックライトドライバが、有機発光ダイオード型バックライトのセグメントを駆動することができるので、全てのセグメントを並行して駆動することができると共に個々のセグメントを別々に駆動することができる。
【００１１】
本発明の液晶ディスプレイは、特に、その有機発光ダイオード型バックライトが白色光を自然に生じさせるという点において更に有利である。
【００１２】
本発明の液晶ディスプレイの実施形態では、バックライトドライバは、液晶ディスプレイパネルのヤケ現象を減少させるために有機発光ダイオード型バックライトのセグメントを走査方式で駆動する走査型バックライトドライバを含む。この実施形態では、例えば、有機発光ダイオード型バックライトのセグメントを順次方式で且つ（或いは）液晶ディスプレイパネルの走査方向に一致して駆動する。それにより、有機発光ダイオード型バックライトのセグメントは、例えば、液晶ディスプレイパネルの１又は２以上の行（ロウ）の少なくとも一部及び（又は）液晶ディスプレイパネルの１又は２以上の列（コラム）の少なくとも一部に該当し、かかるセグメントは、例えば液晶ディスプレイパネルセグメントと比較して、ほぼ同じサイズ又はこれよりも大きなサイズを有することができる。
【００１３】
本発明の液晶ディスプレイの実施形態では、バックライトドライバは、液晶ディスプレイパネルのセグメントの光強度を個別化するために有機発光ダイオード型バックライトのセグメントを個別化方式で駆動する個別化型バックライトドライバを含む。この実施形態では、例えば、特定の液晶ディスプレイパネルセグメントに、対応関係にある有機発光ダイオード型バックライトのセグメントをそれに応じて駆動することにより特定の光強度が与えられるように個別化方式で有機発光ダイオード型バックライトのセグメントを駆動する。その結果、液晶ディスプレイパネルには、例えば表示されるべきビデオ信号に起因する情報に基づいて、補正された局所コントラスト、例えば向上した局所コントラストが与えられる。それにより、有機発光ダイオード型バックライトのセグメントは、例えば、液晶ディスプレイパネルの１又は２以上の行の少なくとも一部及び（又は）液晶ディスプレイパネルの１又は２以上の列の少なくとも一部に該当し、かかるセグメントは、例えば液晶ディスプレイパネルセグメントと比較して、ほぼ同じサイズ又はこれよりも大きなサイズを有することができる。
【００１４】
本発明の液晶ディスプレイの実施形態では、バックライトドライバは、液晶ディスプレイパネルのヤケ現象を減少させると共に液晶ディスプレイパネルのセグメントの光強度を個別化するために有機発光ダイオード型バックライトのセグメントを走査方式且つ個別化方式で駆動する走査型且つ個別化型バックライトドライバを含む。この実施形態では、例えば、一方において、順次方式で且つ（或いは）液晶ディスプレイパネルの走査方向に従う有機発光ダイオード型バックライトのセグメントの駆動と、他方において、特定の液晶ディスプレイパネルセグメントに、対応関係にある有機発光ダイオード型バックライトのセグメントをそれに応じて駆動することにより特定の光強度が与えられるように個別化方式による有機発光ダイオード型バックライトのセグメントの駆動とが組み合わされている。その結果、液晶ディスプレイパネルのヤケ現象が減少し、液晶ディスプレイパネルには、例えば表示されるべきビデオ信号に起因する情報に基づいて、補正された局所コントラスト、例えば向上した局所コントラストが与えられる。液晶ディスプレイパネルがライン毎に（例えば行毎に）駆動される場合、特定の液晶ディスプレイパネルセグメントは、ライン（例えば行）を構成する。この場合、有機発光ダイオード型バックライトの対応のセグメントは、例えば、液晶ディスプレイパネルの対応のライン（例えば対応の行）に該当し、この場合、更に例えば、有機発光ダイオード型バックライトの先のライン（例えば先の行）及び次のライン（例えば次の行）を構成する場合がある。これは、ライン１本分先に有機発光ダイオード型バックライトを駆動することに相当すると共に液晶ディスプレイパネルの駆動と比較して長さが３倍に相当する。
【００１５】
換言すると、後で述べた実施形態では、液晶ディスプレイパネルの駆動が所定の時点及び所定の場所での有機発光ダイオード型バックライトの駆動とオーバーラップすることになる。
【００１６】
注目されるべきこととして、バックライトドライバが個別化型バックライトドライバを含み、有機発光ダイオード型バックライトのセグメントが個別化方式で駆動される実施形態は、有機発光ダイオード型バックライトの使用には限定されない。これら実施形態は、変形例として任意他の種類のバックライト、例えば非有機発光ダイオード型バックライトに基づくものであっても良い。
【００１７】
本発明の液晶ディスプレイの実施形態では、有機発光ダイオード型バックライトは、液晶ディスプレイの一体部分である。この実施形態は、最もコンパクトである。
【００１８】
本発明の液晶ディスプレイの実施形態では、有機発光ダイオード型バックライトは、液晶ディスプレイパネルから切り離し可能である。この実施形態は、有機発光ダイオード型バックライトの交換を可能にする。
【００１９】
米国特許出願公開第２００３／００６３２３１号明細書は、有機発光ダイオードと一体化された液晶ディスプレイパネルを開示している。この特許文献は、有機発光ダイオード型バックライトが液晶ディスプレイパネルの性能を向上させるために用いられるべきことを開示しておらず（段落００１４を参照されたい）、各個々の有機発光ダイオードが常時オンであり、いつでも３原色をいつでも放出できる状態にあることを開示している。米国特許出願公開第２００５／０００７５１７号明細書は、有機発光ダイオード型バックライトの一体型液晶ディスプレイを開示しているが、その有機発光ダイオード型バックライトがセグメント状であり、バックライトドライバが有機発光ダイオード型バックライトの互いに異なるセグメントを駆動するために用いられるべきであるということを開示しているわけではない。米国特許出願公開第２００４／０２３９８３９号明細書は、液晶ディスプレイパネルの駆動方式を開示している。米国特許第５，３９９，９３６号明細書は、有機ＥＬ（エレクトロニクスルミネッセンス）素子を開示している。
【００２０】
本発明の液晶ディスプレイの実施形態、本発明のバックライトの実施形態、本発明のバックライトドライバの実施形態、本発明の方法の実施形態、本発明のコンピュータプログラムプロダクトの実施形態、本発明の媒体の実施形態は、本発明の装置の実施形態と一致している。
【００２１】
本発明は、とりわけ、点光源、例えば非有機発光ダイオードは、液晶ディスプレイのサイズを増大させる拡散板を必要とするという知見に基づくと共にとりわけ、有機発光ダイオードがまず第１に、既に広い範囲の一様な分布状態をもつ光を放出し、第２にこの有機発光ダイオードを非常に平らな光源にする基板の形態をしているという基本的な技術的思想に基づいている。このようなことは全て、液晶ディスプレイのサイズを減少させる。
【００２２】
本発明は、とりわけ、比較的小さなサイズをもつ液晶ディスプレイを有する装置を提供して課題を解決し、更に、とりわけ、その有機発光ダイオード型バックライトが白色光を自然に生じさせるという点で有利である。
【００２３】
本発明の上記特徴及び他の特徴は、以下に説明する実施形態から明らかになると共にかかる実施形態を参照してこれら特徴を説明する。
【発明を実施するための最良の形態】
【００２４】
図１に示す本発明の装置１は、本発明の液晶ディスプレイ２を有している。液晶ディスプレイ２は、先行技術の液晶ディスプレイパネル２１（側面図）と、液晶ディスプレイパネル２１の性能を向上させるバックライトであって、本発明のセグメント状有機発光ダイオード型バックライト２３（側面図）を含むバックライトと、有機発光ダイオード型バックライト２３のセグメントを駆動する本発明のバックライトドライバ２４とを有している。液晶ディスプレイ２は、先行技術の液晶ディスプレイドライバ２２及びドライバ２２，２４の両方に結合された制御装置２５を更に有している。ドライバ２２，２４の各々は、例えば、１又は２以上のロウ（行）ドライバ及び１又は２以上のコラム（列）ドライバから成るのが良い。装置１は、インターフェイス４及びレシーバ５に結合されたプロセッサ３を更に有する。インターフェイス４は、例えば、ユーザから信号を受け取り、このインターフェイスは、例えば、赤外線レシーバ又はキーボード若しくはマウスから成る。レシーバ５は、液晶ディスプレイパネル２１により表示されるべきビデオ信号を受け取り、このレシーバは、コントローラ５に更に結合されている。
【００２５】
図２（平面図）に示す液晶ディスプレイパネル２１は、例えば、３０本の行及び３０本の列から成り、図３（平面図）に示すセグメント状有機発光ダイオード型バックライト２３は、例えば、２２５個のセグメント（１５本のセグメント行及び１５本のセグメント列）から成っている。
【００２６】
バックライトドライバ２４は、例えは、液晶ディスプレイパネル２１のヤケ現象を減少させるために有機発光ダイオード型バックライト２３のセグメントを走査方式で駆動する走査型バックライトドライバを含むのが良い。走査型バックライトドライバは、例えば、有機発光ダイオード型バックライト２３のセグメントを順次方式で且つ（或いは）液晶ディスプレイパネル２１の走査方向に一致して駆動する。それにより、有機発光ダイオード型バックライト２３のセグメントは、例えば、液晶ディスプレイパネル２１の１つの行と１つの列の１つの交差点又は液晶ディスプレイパネル２１の２つ又は３つ以上の交差点に該当する。図２及び図３では、液晶ディスプレイパネル２１が行毎に駆動される場合、有機発光ダイオード型バックライト２３は、この場合、液晶ディスプレイパネル２１が、有機発光ダイオード型バックライト２３に設けられているセグメント行及びセグメント列の２倍の行及び列を有しているので、液晶ディスプレイパネル２１の駆動の速度の半分で又は２倍の持続時間でセグメントを行毎に駆動される。
【００２７】
図４に示す本発明のバックライトドライバ２４は、１つのロウドライバ２４ａ及び４つのコラムドライバ２４ｂから成っている。４つのコラムドライバ２４ｂは、４つのコラムドライババンクに結合された４つのコラムタイマを有している。４つのコラムドライババンク及びロウドライバ２４ｂは、更にバックライト２６に結合され、４つのコラムタイマ及びロウドライバ２４ａは、更に制御装置２５に結合されている。バックライト２６は、例えば、図示のような先行技術の発光ダイオードから成っていても良いが、別法として、本発明のセグメント状有機発光ダイオード型バックライト２３から成っていても良い。
【００２８】
バックライトドライバ２４は、液晶ディスプレイパネルのセグメントの光強度を個別化するために有機発光ダイオード型バックライト２３のセグメントを個別化方式で駆動する個別化型バックライトドライバを含むのが良い。それにより、液晶ディスプレイパネルセグメントは、例えば、液晶ディスプレイパネル２１の１つの行と１つの列の１つの交差点又は液晶ディスプレイパネル２１の２つ又は３つ以上の交差点に該当する。図２及び図３（図３は、今や図４に示すように実現されている）では、特定の液晶ディスプレイパネルセグメントには、バックライト２６の対応関係にあるセグメントをそれに応じて駆動することにより、特定の光強度を与えることができ、また、液晶ディスプレイパネルの一部には、バックライト２６の所与の数の対応関係にあるセグメントをそれに応じて駆動することにより、補正された局所コントラスト、例えば向上した局所コントラストを与えることができる。それにより、バックライト２６の一セグメントは、例えば、１又は２以上の液晶ディスプレイパネルセグメントに相当している。例えば、液晶ディスプレイパネルが左上の隅に幾分強いコントラストを必要とする場合、左上の隅のバックライト２６の対応関係にあるセグメントのうちの幾つかは、これらの対応関係にある液晶ディスプレイパネルセグメントが高い光強度を必要とする場合に動作状態にされるべきであり、左上の隅のバックライト２６の対応関係にあるセグメントの他の幾つかは、これらの対応関係にある液晶ディスプレイパネルセグメントが必要とする光の強度が低い場合には非動作状態にされるべきである。
【００２９】
バックライトドライバ２４は、液晶ディスプレイパネル２１のヤケ現象を減少させると共に液晶ディスプレイパネルのセグメントの光強度を個別化するために有機発光ダイオード型バックライト２３又はバックライト２６のセグメントを走査方式且つ個別化方式で駆動する走査型且つ個別化型バックライトドライバを含むのが良い。液晶ディスプレイパネルが２１がライン毎に（例えば行毎に）駆動される場合、特定の液晶ディスプレイパネルセグメントは、ライン（例えば行）を構成するのが良い。この場合、有機発光ダイオード型バックライト２３又はバックライト２６の対応のセグメントは、例えば、液晶ディスプレイパネル２１の対応のライン（例えば対応の行）に該当し、この場合、更に例えば、有機発光ダイオード型バックライト２３又はバックライト２６の先のライン（例えば先の行）及び次のライン（例えば次の行）を構成する場合がある。これは、ライン１本分先に有機発光ダイオード型バックライト２３又はバックライト２６を駆動することに相当すると共に液晶ディスプレイパネル２１の駆動と比較して長さが３倍に相当する。
【００３０】
換言すると、後で述べた実施形態では、液晶ディスプレイパネル２１の駆動が所定の時点及び所定の場所での有機発光ダイオード型バックライト２３又はバックライト２６の駆動とオーバーラップすることになる。図４を考慮すると、これは、次のように起こる。
【００３１】
技術の背景では、大部分の液晶ディスプレイバックライトは、蛍光灯から成る。新開発技術は、発光ダイオード型バックライトである。現在市場に出ている液晶ディスプレイ用の発光ダイオード型バックライトはちょうど蛍光灯型バックライトと同じ光を生じさせるが、走査特徴を備えていない。走査は、これにより動きのアーチファクトが減少するので望ましい。もう１つの望ましい特徴は、局所高輝度表示又は局所低輝度表示である。この場合、バックライトは、液晶ディスプレイ−ディスプレイ上のビデオ情報に従って調節される。バックライトは、明るい場面で輝度が高くなり、暗い場面で輝度が低くなる。このようにして、コントラストの向上が達成される。
【００３２】
走査発光ダイオード型バックライトが用いられる場合、動きのアーチファクトは、大幅に減少するが、光出力も又減少する。というのは、発光ダイオードは、もはや連続オン状態にはないからである。走査発光ダイオード型バックライトの光出力を増大させるため、多くのラインが、同時にオンにされる。走査ラインに代えて、発光ダイオード型バックライトに走査バンドが用いられる。このようにするため、発光ダイオード列は全て、各発光ダイオードが依然として別々にアドレス指定できるように多数のコラムドライバを有する。このようにして、動きのアーチファクトに対する走査の利点が保たれ、発光ダイオードのどれもこれも全てについての局所低輝度表示が依然として保証され、バックライトの光出力が、多数のコラムドライバを備えていない同型のバックライトに対して増大する。
【００３３】
発光ダイオード型バックライトは、図４に示すような行及び列を備えたマトリクスから成る。行と列の各交差部には、発光ダイオードが接続されている。この場合、赤色−緑色−青色発光ダイオードが用いられているが、白色又は任意他の色の発光ダイオードも使用できる。この例は、発光ダイオードの列１つ当たり４つのコラムドライバを備えた４つのコラムドライババンクで具体化されているが、任意の数のコラムドライバについて有効である。第１のコラムドライババンクは、行１，５，９等上の発光ダイオードに接続されている。第２のコラムドライババンクは、行２，６，１０等上の発光ダイオードに接続されている。第３のコラムドライババンクは、行３，７，１１等上の発光ダイオードに接続されている。第４のコラムドライババンクは、行４，８，１２等上の発光ダイオードに接続されている。別々の各コラムドライババンクは、１つの列当たり、別個のコラムタイマを有し、このコラムタイマにより、個々の列は各々、パルス幅変調信号で駆動でき、それにより、マトリクス中の個々の発光ダイオードが各々、それ自体のドライバ信号を有することができ、かくして、それ自体の輝度を有することができるようになる。
【００３４】
駆動シーケンスは、例えば、次の通りである。
【００３５】
行１を第１のラインタイムの間、オンにし、４つのラインタイムの間、この行１は、オンのままである。
行２を第２のラインタイムの間、オンにし、４つのラインタイムの間、この行２は、オンのままである。
行３を第３のラインタイムの間、オンにし、４つのラインタイムの間、この行３は、オンのままである。
行４を第４のラインタイムの間、オンにし、４つのラインタイムの間、この行４は、オンのままである。
行５を行１のオフ切り換え後の第５のラインタイムの間オンにし、４つのラインタイムの間、この行５はオンのままである。
行６を行２のオフ切り換え後の第６のラインタイムの間オンにし、４つのラインタイムの間、この行６はオンのままである。
行７を行３のオフ切り換え後の第７のラインタイムの間オンにし、４つのラインタイムの間、この行７はオンのままである。
行８を行４のオフ切り換え後の第８のラインタイムの間オンにし、４つのラインタイムの間、この行８はオンのままである。以下同様である。
【００３６】
行が動作状態にあるとき、その行上の発光ダイオードの輝度は、それぞれのコラムドライバよりパルス幅変調信号を用いて制御される。このパルス幅変調信号は、４つのラインタイムで到達すべき輝度に相当しなければならない。発光ダイオード列１つ当たり４つのコラムドライバが設けられている例が与えられているが、この例は、任意の数にスケール変更できる。発光ダイオード列１つ当たりのコラムドライバの数は、同時にオン状態でなければならない行の数と直線的にスケール変更する。
【００３７】
有機発光ダイオード型バックライト２３は、液晶ディスプレイ２の一体部分であっても良く、液晶ディスプレイ２から切り離し可能であっても良い。各セグメントは、実在のセグメントであっても良く、想像上のセグメントであっても良い。プロセッサ３は、プロセッサ３を介して実行されるべきコンピュータプログラムプロダクトを記憶する図示していない媒体を有しても良く又はこれに結合されても良く、このコンピュータプログラムプロダクトは、有機発光ダイオード型バックライト２３を含むバックライトを介して液晶ディスプレイパネル２１の性能を向上させる機能及びバックライトドライバ２４を介して有機発光ダイオード型バックライト２３のセグメントを駆動する機能を有する。
【００３８】
上述した実施形態は、例示であって、本発明を限定するものではなく、当業者であれば、特許請求の範囲に記載された本発明の範囲から逸脱することなく多くの変形実施形態を設計できることは注目されるべきである。特許請求の範囲において、括弧の中に入れた参照符号は、特許請求の範囲に記載された本発明を限定するものと解釈されてはならない。原文の特許請求の範囲において、“備えている”という動詞及びその活用語が用いられていることは、各請求項に記載された構成要素又はステップ以外の構成要素又はステップの存在を排除するものではない。原文における単数の構成要素の前の“ａ”又は“ａｎ”という冠詞は、かかる構成要素が複数個存在することを排除するものではない。本発明は、幾つかの別々の構成要素を有するハードウェア及び適当にプログラムされたコンピュータによって具体化できる。幾つかの手段を列挙している装置クレームでは、これら手段のうちの幾つかは、ハードウェアの同一のアイテムにより具体化できる。単に或る特定の手段が相互に異なる従属形式の請求項で記載されているということだけでは、これら手段の組合せを有利に使用することはできないということを意味するものではない。
【図面の簡単な説明】
【００３９】
【図１】本発明の有機発光ダイオード型バックライト及び本発明のバックライトドライバを備えた本発明の液晶ディスプレイを有する本発明の装置を概略的に示す図である。
【図２】液晶ディスプレイパネルを概略的に示す図である。
【図３】本発明のセグメント状有機発光ダイオード型バックライトを概略的に示す図である。
【図４】バックライトに結合された本発明のバックライトドライバを概略的に示す図である。
【図１】
2009505129.tif 000003
【図２】
2009505129.tif 000004
【図３】
2009505129.tif 000005
【図４】
2009505129.tif 000006
【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
液晶ディスプレイ（２）であって、
液晶ディスプレイパネル（２１）と、
前記液晶ディスプレイパネル（２１）を自然に照明する白色光を生成するセグメント状有機発光ダイオード型バックライト（２３）と、
前記有機発光ダイオード型バックライト（２３）のセグメントを駆動するバックライトドライバ（２４）とを備えている、
ことを特徴とする液晶ディスプレイ（２）。
【請求項２】
前記バックライトドライバ（２４）は、前記液晶ディスプレイパネルのセグメントの光強度を個別化するために前記有機発光ダイオード型バックライト（２３）の前記セグメントを個別化方式で駆動する個別化型バックライトドライバを備えている、
請求項１に記載の液晶ディスプレイ（２）。
【請求項３】
液晶ディスプレイ（２）が、表示されるべきビデオ信号に起因する情報に基づいて補正されたコントラストを前記液晶ディスプレイパネルセグメントに付与するように構成されている、
請求項２に記載の液晶ディスプレイ（２）。
【請求項４】
前記バックライトドライバ（２４）は、前記液晶ディスプレイパネル（２１）のヤケ現象を減少させるために前記有機発光ダイオード型バックライト（２３）の前記セグメントを走査方式で駆動する走査型バックライトドライバを備えている、
請求項１に記載の液晶ディスプレイ（２）。
【請求項５】
前記有機発光ダイオード型バックライト（２３）は、前記液晶ディスプレイ（２）の一体部分である、
請求項１に記載の液晶ディスプレイ（２）。
【請求項６】
前記有機発光ダイオード型バックライト（２３）は、前記液晶ディスプレイパネル（２１）から切り離し可能である、
請求項１に記載の液晶ディスプレイ（２）。
【請求項７】
請求項１ないし６のいずれか１項に記載のセグメント状有機発光ダイオード型バックライト（２３）。
【請求項８】
請求項１ないし６のいずれか１項に記載の液晶ディスプレイ（２）を備えている装置（１）。
【請求項９】
液晶ディスプレイパネル（２１）を備えている液晶ディスプレイ（２）を作動させる方法であって、
白色光を生成するセグメント状有機発光ダイオード型バックライト（２３）で前記液晶ディスプレイパネル（２１）を自然に照射するステップと、
前記有機発光ダイオード型バックライト（２３）の前記セグメントを駆動するステップとを備えている、
ことを特徴とする方法。
【請求項１０】
液晶ディスプレイパネルセグメントの光強度を個別化し表示されるべきビデオ信号に起因する情報に基づく補正されたコントラストを液晶ディスプレイパネルに付与する個別化された方法で、前記有機発光ダイオード型バックライト（２３）のセグメントを駆動するステップを更に備えている、
請求項９に記載の方法。
【国際調査報告】
2009505129.tif 000007
2009505129.tif 000008